(57)【特許請求の範囲】
【請求項１】
メイン情報が書き込まれる主記録領域とメディア付加情報が書き込まれる副記録領域を有する記録メディアに対して情報の読み書きを行う手段と、前記メイン情報を上位のグループ単位で管理するために前記メディア付加情報を所定の特定フォーマットで作成する手段と、前記メディア付加情報が前記特定フォーマットで記述されているか否かを判定する手段と、前記メディア付加情報が前記特定フォーマットで記述されていると判定された場合に当該記録メディアはグループ管理されていると認識する手段と、を有して成る情報記録再生装置において、
既登録グループに属している前記メイン情報を新たにグループ登録する際、１つのメイン情報は１つのグループにしか登録することはできないという制約に従わないメイン情報を複数グループに重複登録することが可能な特定フォーマットでメディア付加情報を作成するか、１つのメイン情報は１つのグループにしか登録することはできないという制約に則った特定フォーマットでメディア付加情報を作成するか、を選択する手段を有することを特徴とする情報記録再生装置。
【発明の詳細な説明】
【０００１】
【発明の属する技術分野】
本発明は、ミニディスク録音再生装置に代表される情報記録再生装置に関するものである。
【０００２】
【従来の技術】
従来の情報記録再生装置として、ここではミニディスク録音再生装置（以下、ＭＤ装置と呼ぶ）を例に挙げて説明を行う。ＭＤ装置は、記録メディアとしてミニディスク（以下、ＭＤと呼ぶ）を用い、楽音や音声等の録音再生を行うディジタルオーディオ機器である。
【０００３】
ＭＤのレコーダブルエリアは、楽音や音声等のメイン情報が書き込まれる主記録領域（以下、プログラムエリアと呼ぶ）と、該プログラムエリアにおけるメイン情報の記録位置やその再生順序等の管理情報、及びＭＤ毎に固有のメディア付加情報（ディスク名）や一連のメイン情報（以下、トラックと呼ぶ）毎に固有のトラック付加情報（トラック名）等が書き込まれる副記録領域（以下、ＵＴＯＣ［User Table Of Contents］エリア）と、に大別される（図４参照）。
【０００４】
上記したＵＴＯＣエリアには、セクタという単位で複数種類の情報が独立して格納されており、ＭＤ装置ではセクタ０〜セクタ４までが使用されている。セクタ０にはトラックの記録状況が格納される。セクタ１にはアスキーコードで記述されたメディア付加情報（ディスク名）やトラック付加情報（トラック名）が格納される。セクタ２にはトラックの記録日時が格納される。セクタ３はレコーダブルＭＤでは使用されないが、プリレコードＭＤではＭＤのバーコードや各トラックのＩＳＲＣ［International Standard Recording Code］が格納される。セクタ４にはＩＳＯ−８８５９−１またはシフトＪＩＳコードで記述されたメディア付加情報（ディスク名）やトラック付加情報（トラック名）が格納される。
【０００５】
このように、ＭＤ装置では、ＭＤのＵＴＯＣエリア（セクタ１及びセクタ４）に任意のディスク名やトラック名を書き込むことができるので、ユーザにとって非常に利便性が高い。
【０００６】
一方、近年では、ＭＤ装置で用いられる音声圧縮規格（高能率符号化規格）として、ＡＴＲＡＣ３［Adaptive TRansform Acoustic Coding 3］が追加されたことにより、通常モード時での録音可能時間が８０分であるＭＤに対して、４倍録音モード時（ＬＰ４（66kbps）モード時）では最大３２０分の録音ができ、多数のトラック（楽曲等）を１枚のＭＤに収録することが可能となっている。
【０００７】
このように多数のトラックが記録されたＭＤでは、トラックを一段上位のグループ単位で管理し、各グループ毎にグループ名を付すことで、ユーザの利便性をより一層高めることが望ましい。しかし、上記した通り、従来のＭＤ規格では、ＵＴＯＣエリアにメディア付加情報（ディスク名）やトラック付加情報（トラック名）が格納されるセクタはあるものの、１枚のディスク中にあるトラックを複数のグループ単位に分ける方法にまで踏み込んだ規格にはなっていなかった。
【０００８】
そこで、既存セットとの不整合回避を図りつつ、上記グループ管理を行うために、ＭＤのＵＴＯＣエリア（セクタ１またはセクタ４）に書き込むべきメディア付加情報（ディスク名）を所定の特定フォーマットで作成することで、該メディア付加情報にディスク名だけでなくグループ名を含める方法が提案されている。このような方法であれば、ＵＴＯＣエリアを有効活用することにより、既存の規格範囲内でのグループ管理を実現することができるので、既存セットへの影響を最小限に抑えつつ、ユーザの要望に叶う様々な楽曲再生が可能となる。
【０００９】
なお、上記のグループ管理を行うために作成されるメディア付加情報の特定フォーマットは、「TNO1-TNO2；GroupName1//TNO3-TON4；GroupName2//…//」で示される基本型から成り、その書式には次の制約（ルール）が存在する。
【００１０】
まず、グループの構成トラックを指定するには、グループ化する開始トラックナンバー（TNOm）と終了トラックナンバー（TNOn）を「-」で結び「TNOm-TNOn」と記述する。ただし、TNOmはTNOnより小さい値でなければならない。なお、グループの構成トラック数が１つの場合には「-」を省略して「TNOm」のみを記述すればよい。また、全てのグループとトラックを含めたディスク名を記述するときには、グループの構成トラックを「０」として指定すればよい。ただし、本記述は必ず先頭位置に登録しなければならない。
【００１１】
次に、グループ名（もしくはディスク名）を記述するには、上記トラックナンバーの後ろに「;」を付し、それに続いてグループ名（GroupName）を記述する。なお、グループ名は必須項目ではなく、トラックのグループ化のみ（グループ名なし）を行うこともできる。また、グループ名は「-」や「;」、或いは「/」等を含むものであってもよい。
【００１２】
さらに、複数のグループ登録を行うには、各グループ間を「//」で区切り、最後のグループ末尾にも「//」を付加する。なお、１つのグループは連続したトラックナンバーを有するトラックの集合でのみ構成され、グループ毎のトラックナンバーは、最初のトラックナンバーから最後のトラックナンバーまでの範囲に属し、欠番は認めるが必ず増加するものとする。すなわち、どのグループにも属していないトラックは認められるが、１つのトラックは１つのグループにしか登録することができない。
【００１３】
一方、構成トラックの指定がないグループ登録（以下、予約グループ登録と呼ぶ）を行うことも可能である。ただし、本記述は必ず末尾に登録しなければならない。また、同一ＭＤ内に重複したグループ名を登録することも可能であるが、その場合は、同一グループ名であっても別グループとして扱われる。なお、構成トラックの指定もグループ名の記述もないグループ登録は認められない。
【００１４】
【発明が解決しようとする課題】
上記の制約（ルール）に則って、ＭＤのＵＴＯＣ領域に書き込むべきメディア付加情報が、例えば「0;X//1-4;a//5-8;b//12-15;c//」と記述されたＭＤでは、図５（ａ）に示すグループ管理が行われる。つまり、「0;X」という記述からは当該ＭＤのディスク名が「X」であることが認識される。また、「1-4；a」という記述から、トラック１〜トラック４までが１グループとして登録されており、そのグループ名が「a」であると認識される。同様に、「5-8;b」、「12-15;c」という記述からは、トラック５〜トラック８及びトラック１２〜トラック１５が各々１グループとして登録されており、そのグループ名はそれぞれ「b」、「c」であることが認識される。
【００１５】
ここで、前記トラックのうち、例えば、図中の網掛部で示されるトラック２、６、１１を新たにグループ登録しようとする場合、「１つのトラックは１つのグループにしか登録することができない。」、「１つのグループは連続したトラックナンバーを有するトラックの集合で構成しなければならない。」といった上記の制約（ルール）により、このままではグループ化を行うことができなかった。
【００１６】
そのため、従来のＭＤ装置では、図５（ｂ）〜（ｄ）に至る多段階のトラック移動を経ることで前記トラックを既登録グループから抹消して連続化した後に、メディア付加情報として「0;X//1-3;a//4-6;b//9-12;c//13-15;d//」）を書き込むことで、図５（ｅ）に示す新規グループ登録を行っていた。
【００１７】
確かに、上記の動作によれば、既登録グループに属するトラックを新たにグループ登録することが可能である。しかしながら、このような動作では、元グループが崩されるため、新規グループが不要となったときに、その構成トラックを元グループに復元する作業が非常に困難で煩わしかった。また、選択トラック数やその位置によっては、図５（ｂ）〜（ｄ）に示す以上にトラック移動のステップ数が多くなり、ソフトウェアの負担が非常に大きなものとなっていた。
【００１８】
一方、図５（ｆ）に示すように、トラック２、６、１１と同内容のデータを、別トラック１６、１７、１８としてプログラムエリアに重複録音した上で、メディア付加情報として「0;X//1-4;a//5-8;b//12-15;c//16-18;d//」）を書き込めば、元グループを崩すことなく既登録グループに属するトラックを新たにグループ登録することが可能である。しかしながら、このような動作では、同内容のデータを別トラックとして重複録音しなければならないため、ＭＤの容量が圧迫されていた。
【００１９】
本発明は、上記の問題点に鑑み、元グループを崩すことも、記録メディアの容量を圧迫することもなく、既登録グループに属するトラックを新たにグループ登録することが可能な情報記録再生装置を提供することを目的とする。
【００２０】
【課題を解決するための手段】
上記目的を達成するために、本発明に係る情報記録再生装置は、メイン情報が書き込まれる主記録領域とメディア付加情報等が書き込まれる副記録領域を有する記録メディアに対して情報の読み書きを行う手段と、前記メイン情報を上位のグループ単位で管理するために前記メディア付加情報を所定の特定フォーマットで作成する手段と、前記メディア付加情報が前記特定フォーマットで記述されているか否かを判定する手段と、前記メディア付加情報が前記特定フォーマットで記述されていると判定された場合に当該記録メディアはグループ管理されていると認識する手段と、を有して成る情報記録再生装置において、前記特定フォーマットとして、前記メイン情報を複数グループに重複登録するための書式を有する構成としている。
【００２１】
なお、上記構成から成る情報記録再生装置は、既登録グループに属しているメイン情報を新たにグループ登録する際、１つのメイン情報は１つのグループにしか登録することはできないという制約に従わないメイン情報を複数グループに重複登録することが可能な特定フォーマットでメディア付加情報を作成するか、１つのメイン情報は１つのグループにしか登録することはできないという制約に則った特定フォーマットでメディア付加情報を作成するか、を選択する手段を有する構成にするとよい。
【００２２】
【発明の実施の形態】
本発明に係る情報記録再生装置として、ここでは、ミニディスク録音再生装置を例に挙げて説明を行う。図１は本発明に係るミニディスク録音再生装置の一実施形態を示すブロック図である。
【００２３】
本図に示すミニディスク録音再生装置１（以下、ＭＤ装置１と呼ぶ）に設けられた入力端子２には、コンパクトディスク再生装置や衛星放送受信装置などのディジタル音声信号源から出力されたディジタル音声データが、例えば光信号としてシリアル入力される。入力端子２に入力された光信号は、光電素子３によって電気信号に変換された後、ディジタルＰＬＬ［Phase-Locked-Loop］回路４に入力される。
【００２４】
ディジタルＰＬＬ回路４は、入力されたディジタル音声データからクロックの抽出を行うとともに、サンプリング周波数及び量子化ビット数に対応したマルチビットデータを再現する。このマルチビットデータは、信号源毎に異なるサンプリングレート（コンパクトディスク；４４．１ｋＨｚ、ディジタルオーディオテープレコーダ；４８ｋＨｚ、衛星放送（Ａモード）；３２ｋＨｚなど）で標本化されたディジタルデータである。そこで、ディジタルＰＬＬ回路４から出力されたマルチビットデータは、周波数変換回路５によってそのサンプリングレートをミニディスクの規格に対応した４４．１ｋＨｚに変換される。
【００２５】
音声圧縮回路６は、ＡＴＲＡＣ［Adaptive TRansform Acoustic Coding］方式によって入力されたディジタル音声データの圧縮符号化を行い、符号化されたディジタル音声データをショックプルーフメモリコントローラ７を介して信号処理回路８に送出する。
【００２６】
ショックプルーフメモリコントローラ７で制御されるショックプルーフメモリ９は、音声圧縮回路６から出力されるディジタル音声データの転送速度と、信号処理回路８に入力されるディジタル音声データの転送速度との差を吸収するとともに、再生時における振動等の外乱による再生信号の中断を補間し、ディジタル音声データを保護するためのものである。
【００２７】
信号処理回路８は、エンコーダ及びデコーダとしての機能を具備しており、入力されたディジタル音声データをシリアルの磁界変調信号にエンコードして記録ヘッド駆動回路１０に与える。記録ヘッド駆動回路１０は、記録ヘッド１１をミニディスク１２（以下、ＭＤ１２と呼ぶ）上の所定記録位置に移動させるとともに、前記磁界変調信号に対応した磁界を発生させる。このとき、ＭＤ１２上の所定記録位置には、光ピックアップ１３からレーザ光が照射されており、これによって前記磁界に対応した磁化パターンがＭＤ１２上に形成される。
【００２８】
一方、光ピックアップ１３は、ＭＤ１２から前記磁化パターンに対応したシリアル信号を再生する。再生されたシリアル信号は高周波アンプ１４（以下、ＲＦアンプ１４と呼ぶ）で増幅された後、信号処理回路８によってディジタル音声データにデコードされる。デコードされたディジタル音声データは、ショックプルーフメモリコントローラ７及びショックプルーフメモリ９で外乱による影響を除去された後、音声伸長回路１５に送出される。
【００２９】
音声伸長回路１５は、ＡＴＲＡＣ方式による圧縮符号化の逆変換処理を行い、フルビットのディジタル音声データを復調する。復調されたディジタル音声データは、ディジタル／アナログ変換回路１６（以下、Ｄ／Ａ変換回路１６と呼ぶ）によってアナログ音声データに変換され、出力端子１７から外部へ出力される。
【００３０】
なお、ＲＦアンプ１４で増幅されたシリアル信号は、サーボ回路１８にも入力されている。サーボ回路１８は、再生されたシリアル信号に応じてドライバ回路１９に制御信号を送出し、該ドライバ回路１９を介してスピンドルモータ２０の回転速度をフィードバック制御する。このようなフィードバック制御により、ＭＤ１２を線速度一定で回転させることができる。
【００３１】
また、サーボ回路１８は、ドライバ回路１９を介して送りモータ２１の回転速度もフィードバック制御している。このようなフィードバック制御により、ＭＤ１２の半径方向に対する光ピックアップ１３の変移制御、すなわちトラッキング制御を行うことができる。さらに、サーボ回路１８は、ドライバ回路１９を介して光ピックアップ１３のフォーカシング制御も行っている。
【００３２】
上記した信号処理回路８、光ピックアップ１３、ＲＦアンプ１４、サーボ回路１８、及びドライバ回路１９等には、図示しない電源回路から電力供給が行われるが、このような電力供給動作や後述するグループ管理動作は、全てＭＤコントロールマイコン２２（以下、ＭＤマイコン２２と呼ぶ）によって集中管理されている。また、ＭＤマイコン２２には、曲名入力や選曲操作、或いは音質調整動作等を行うための入力装置２３や、機器の動作状態等をユーザに報知（表示）するための表示装置２４などが接続されている。
【００３３】
なお、本発明は、ＭＤ１２をグループ管理する際に行われるＭＤマイコン２２での内部処理（入力装置２３からのキー取り込み処理や表示装置２４に対する表示処理を含む）に関するものである。そこで、以下では、ＭＤマイコン２２によるグループ管理動作について、図２及び図３を参照しながら詳細な説明を行う。
【００３４】
図２はＭＤマイコン２２によるグループ管理動作の一実施形態を示す動作フローチャートであり、トラックを新たにグループ登録する際の内部処理について、一連の動作が示されている。図３は本実施形態におけるＭＤ１２のグループ管理を説明する図である。
【００３５】
ＭＤマイコン２２によるトラックのグループ化処理が開始されると、まずステップＳ５では、ユーザからの入力操作に基づいて、新たにグループ化しようとするトラックの選択が行われる。続くステップＳ１０では、ステップＳ５で選択されたトラックが既登録グループに属しているか否かの判定が行われる。ここで、上記の選択トラックが既登録グループに属していると判定された場合はフローがステップＳ１５に進められ、属していないと判定された場合はフローがステップＳ３０に進められる。
【００３６】
例えば、図３（ａ）に示すように、ＵＴＯＣ領域に書き込まれたメディア付加情報が「0;X//1-4;a//5-8;b//12-15;c//」と記述されているＭＤ１２において、図中の網掛部で示されるトラック２、６、１１が新規グループ登録の対象として選択された場合には、ステップＳ１０にて、選択トラックが既登録グループに属していると判定される。従って、フローはステップＳ１５に進められる。
【００３７】
ステップＳ１５では、ユーザからの入力操作に基づいて、選択トラックを元グループに残したまま、該トラックを新規グループに重複登録するか否かの判定が行われる。ここで、選択トラックを元グループに残す場合はフローがステップＳ２０に進められ、残さない場合はフローがステップＳ３０に進められる。
【００３８】
ステップＳ２０では、「１つのトラックは１つのグループにしか登録することができない。」、「１つのグループは連続したトラックナンバーを有するトラックの集合で構成しなければならない。」といった従来の制約（ルール）を外した新書式の特定フォーマットが作成される。なお、本実施形態のＭＤマイコン２２は、選択トラックTNO1、…、TNOnを元グループに残して新規グループに重複登録する場合、各選択トラックを「,」で区切り、「TNO1,…,TNOn;GroupName//」といった記述を行う構成であるが、書式はこれに限定されるものではない。もちろん、本実施形態のＭＤマイコン２２は、このような記述を特定フォーマットであると認識する機能も有している。
【００３９】
例えば、図３（ａ）に示すトラック２、６、１１が新規グループ登録の対象として選択された場合には、ＵＴＯＣ領域に元々書き込まれていたメディア付加情報「0;X//1-4;a//5-8;b//12-15;c//」の末尾に「2,6,11;d//」が付加される。従って、新たなメディア付加情報は「0;X//1-4;a//5-8;b//12-15;c//2,6,11;d//」といった記述となる（図３（ｂ）参照）。
【００４０】
続くステップＳ２５では、上記特定フォーマットで記述されたメディア付加情報がＭＤ１２のＵＴＯＣ領域に書き込まれ、一連のグループ化処理が終了する。
【００４１】
このように、メディア付加情報の特定フォーマットとして、１つのトラックを複数グループに重複登録するための新書式を設けることにより、本実施形態のＭＤ装置１は、元グループを崩すことも、ＭＤ１２の容量を圧迫することもなく、既登録グループに属するトラックを新たにグループ登録することが可能となる。
【００４２】
一方、前述のステップＳ１０で選択トラックが既登録グループに属していないと判定された場合、或いはステップＳ１５で選択トラックを元グループに残さないと判定された場合には、フローがステップＳ３０に進められ、必要に応じたトラック移動が行われる（図５（ｂ）〜（ｄ）参照）。
【００４３】
その後、続くステップＳ３５では、従来の制約（ルール）に則った特定フォーマットが作成され（図５（ｅ）参照）、フローがステップＳ２５に進められる。ステップＳ２５では、上記特定フォーマットで記述されたメディア付加情報がＭＤ１２のＵＴＯＣ領域に書き込まれ、一連のグループ化処理が終了する。
【００４４】
このように、既登録グループに属しているトラックを新たにグループ登録する際、該トラックを元グループに残すか否かを任意に選択可能な構成とすることにより、本発明に係る新書式で記述されたメディア付加情報を特定フォーマットとして認識できない情報記録再生装置との互換性を優先して、従来通りのグループ登録を行うことも可能となる。
【００４５】
なお、上記の実施形態では、本発明をミニディスク録音再生装置に適用した場合を例に挙げて説明を行ったが、本発明の適用対象はこれに限定されるものではなく、種々の情報記録再生装置に適用が可能である。
【００４６】
【発明の効果】
上記した通り、本発明に係る情報記録再生装置は、メイン情報が書き込まれる主記録領域とメディア付加情報等が書き込まれる副記録領域を有する記録メディアに対して情報の読み書きを行う手段と、前記メイン情報を上位のグループ単位で管理するために前記メディア付加情報を所定の特定フォーマットで作成する手段と、前記メディア付加情報が前記特定フォーマットで記述されているか否かを判定する手段と、前記メディア付加情報が前記特定フォーマットで記述されていると判定された場合に当該記録メディアはグループ管理されていると認識する手段と、を有して成る情報記録再生装置において、前記特定フォーマットとして、前記メイン情報を複数グループに重複登録するための書式を有する構成である。
【００４７】
このような構成とすることにより、元グループを崩すことも、記録メディアの容量を圧迫することもなく、既登録グループに属するトラックを新たにグループ登録することが可能となる。
【００４８】
なお、上記構成から成る情報記録再生装置は、既登録グループに属しているメイン情報を新たにグループ登録する際、１つのメイン情報は１つのグループにしか登録することはできないという制約に従わないメイン情報を複数グループに重複登録することが可能な特定フォーマットでメディア付加情報を作成するか、１つのメイン情報は１つのグループにしか登録することはできないという制約に則った特定フォーマットでメディア付加情報を作成するか、を選択する手段を有する構成にするとよい。このような構成とすることにより、本発明に係る新書式で記述されたメディア付加情報を特定フォーマットとして認識できない情報記録再生装置との互換性を優先して、従来通りのグループ登録を行うことも可能となる。
【図面の簡単な説明】
【図１】  本発明に係るミニディスク録音再生装置の一実施形態を示すブロック図である。
【図２】  ＭＤマイコン２２によるグループ管理動作の一実施形態を示す動作フローチャートである。
【図３】  本実施形態におけるＭＤ１２のグループ管理を説明する図である。
【図４】  レコーダブルＭＤの記録レイアウトを示す模式断面図である。
【図５】  ＭＤのグループ管理の一従来例を説明する図である。
【符号の説明】
１    ミニディスク録音再生装置（ＭＤ装置）
２    入力端子
３    光電素子
４    ディジタルＰＬＬ回路
５    周波数変換回路
６    音声圧縮回路
７    ショックプルーフメモリコントローラ
８    信号処理回路
９    ショックプルーフメモリ
１０    記録ヘッド駆動回路
１１    記録ヘッド
１２    ミニディスク（ＭＤ）
１３    光ピックアップ
１４    高周波アンプ（ＲＦアンプ）
１５    音声伸長回路
１６    ディジタル／アナログ変換回路（Ｄ／Ａ変換回路）
１７    出力端子
１８    サーボ回路
１９    ドライバ回路
２０    スピンドルモータ
２１    送りモータ
２２    ＭＤコントロールマイコン（ＭＤマイコン）
２３    入力装置
２４    表示装置
【図１】
0003759036.tif 000002
【図２】
0003759036.tif 000003
【図３】
0003759036.tif 000004
【図４】
0003759036.tif 000005
【図５】
0003759036.tif 000006